(57)【要約】【課題】目的の印刷物の原稿データを簡単な操作でデータベースから取得して印刷物の複製を作成できる画像形成装置および複写システムを提供する。【解決手段】複合機２０は、原稿台にセットされた印刷物に付された無線タグからその印刷物のＩＤ情報を読み取り、このＩＤ情報に対応する印刷物に係わる情報（印刷可能ページや課金情報など）をネットワーク経由でデータベース１１から取得して表示部に表示する。ユーザはこの情報を基にして印刷希望のページ範囲を指定する。複合機２０は、指定された印刷ページ範囲の原稿データをデータベース１１から取得して対応する画像を記録紙に印刷する。【選択図】図１
2006054777.tif 000002
【特許請求の範囲】
【請求項１】
印刷物に付された無線タグからその印刷物の識別情報を取得するタグ情報読取手段と、
前記タグ情報読取手段が取得した識別情報が示す印刷物の原稿データをネットワーク経由で所定のデータベースから取得する原稿データ取得手段と、
前記原稿データ取得手段が取得した原稿データに基づく画像を印刷する印刷手段と
を有する
ことを特徴とする画像形成装置。
【請求項２】
印刷物に付された無線タグからその印刷物の識別情報を取得するタグ情報読取手段と、
前記タグ情報読取手段が取得した識別情報が示す印刷物における印刷可能ページを示すページ情報をネットワーク経由で所定のデータベースから取得するページ情報取得手段と、
前記ページ情報取得手段によって前記データベースから取得したページ情報を表示し、印刷ページ範囲の指定を受けるページ範囲入力手段と、
前記タグ情報読取手段が取得した前記識別情報が示す印刷物の中の前記ページ範囲入力手段で指定を受けた印刷ページ範囲に対応する原稿データを前記データベースから取得する原稿データ取得手段と、
前記原稿データ取得手段が取得した原稿データに基づく画像を印刷する印刷手段と
を有する
ことを特徴とする画像形成装置。
【請求項３】
前記タグ情報読取手段が取得した識別情報が示す印刷物の課金情報を前記データベースから取得する課金情報取得手段と、
前記課金情報手段で取得した課金情報に基づいて印刷に要する金額を表示し、印刷するか否かの確認操作を受ける課金確認手段と
を備え、
前記課金確認手段で印刷許可の確認を受けたときのみ、前記データベースから取得した原稿データに基づく印刷を行なう
ことを特徴とする請求項１または２に記載の画像形成装置。
【請求項４】
前記データベースから取得した原稿データに基づく画像を指定された宛先に送信する
ことを特徴とする請求項１または２に記載の画像形成装置。
【請求項５】
前記データベースから取得した原稿データに基づく画像を出力先に応じたサイズに拡大もしくは縮小するサイズ変更手段を有する
ことを特徴とする請求項１または２に記載の画像形成装置。
【請求項６】
前記データベースから取得した原稿データに応じて記録紙サイズを選択する
ことを特徴とする請求項１または２に記載の画像形成装置。
【請求項７】
前記データベースから取得した原稿データに基づく画像を、指定された出力形態で出力する
ことを特徴とする請求項１または２に記載の画像形成装置。
【請求項８】
前記タグ情報読取手段が取得した識別情報が示す印刷物に関連する付加情報を前記データベースから取得して表示する付加情報表示手段を有する
ことを請求項１または２に記載の画像形成装置。
【請求項９】
前記付加情報は、印刷物の目次情報であり、
出力範囲を前記目次情報から指定可能に構成した
ことを特徴とする請求項８に記載の画像形成装置。
【請求項１０】
前記付加情報は、関連印刷物情報であり、
原稿データを要求する印刷物を前記関連印刷物情報から指定可能に構成した
ことを特徴とする請求項８に記載の画像形成装置。
【請求項１１】
前記原稿データ取得手段が取得した原稿データに基づく画像を印刷する際に、別の情報を各記録紙に印刷する
ことを特徴とする請求項１または２に記載の画像形成装置。
【請求項１２】
前記別の情報は、認証された印刷であることを示す認証マーク、印刷の日付、場所、印刷者、広告のいずれかを含む
ことを特徴とする請求項１１に記載の画像形成装置。
【請求項１３】
原稿台に載置された原稿の画像を読み取る画像読取手段を有し、
前記タグ情報読取手段は、前記原稿台の近傍を無線タグとの通信可能範囲に設定してあり、
前記タグ情報読取手段が無線タグから識別情報を受信している場合は前記データベースから該当する原稿データを取得して印刷し、前記タグ情報取得手段が無線タグから識別情報を受信していない場合は前記原稿台に載置されている原稿の画像を前記画像読取手段で読み取って複写する
ことを特徴とする請求項１または２に記載の画像形成装置。
【請求項１４】
請求項１、２、３、４、５、６、７、８、９、１０、１１、１２または１３のいずれかに記載の画像形成装置と、
要求されたデータを前記画像形成装置に送信するデータベースと
を有する
ことを特徴とする複写システム。
【発明の詳細な説明】
【技術分野】
【０００１】
本発明は、書籍などの印刷物を複写する際に、印刷物の画像を読み取る代わりにデータベースから該当する原稿データを取得して印刷する画像形成装置および複写システムに関する。
【背景技術】
【０００２】
この種の複写システムでは、印刷物をスキャナ装置で直接読み取って複写する場合に比べて画質の劣化を防止できる。しかしながら、データベースから目的の原稿データを取得するためには、操作部から煩雑なファイル検索操作を行なわなければならかった。そこで、複写すべきページをスキャナ装置で読み取って画像を解析し、文書中から所定の符号情報が抽出された場合には、所定のデータベースからその符号情報に対応する原稿データを自動的に取得して印刷する複写システムが提案されている（たとえば、特許文献１参照。）。
【０００３】
【特許文献１】特開平９−３７００４号公報
【発明の開示】
【発明が解決しようとする課題】
【０００４】
上記の複写システムでは、予め書籍などの印刷物の各ページに符号情報を印刷しておかなければならず、その印刷に手間が掛かるとともに、見た目にも芳しくないという問題があった。また、符号情報を読み取るためには、該当ページを開いた印刷物を原稿台に押し当てなければならず、印刷物が傷むとともに、押し当て方が不適当な場合や汚れがあると、読み取った符号情報を的確に解析できない場合が生じてしまう。さらに複数ページを複写する場合は、該当ページを開いては原稿台に押し当ててページを読み取り解析するという動作を繰り返し行なわなければならず、作業が煩雑で時間がかかるという問題があった。
【０００５】
本発明は、上記の問題を解決しようとするものであり、目的の印刷物の原稿データを簡単な操作でデータベースから取得して印刷物の複製を作成することのできる画像形成装置および複写システムを提供することを目的としている。
【課題を解決するための手段】
【０００６】
請求項１に係わる発明は、印刷物に付された無線タグからその印刷物の識別情報を取得するタグ情報読取手段と、
前記タグ情報読取手段が取得した識別情報が示す印刷物の原稿データをネットワーク経由で所定のデータベースから取得する原稿データ取得手段と、
前記原稿データ取得手段が取得した原稿データに基づく画像を印刷する印刷手段と
を有する
ことを特徴とする画像形成装置である。
【０００７】
上記発明によれば、複写すべき印刷物に付された無線タグからその印刷物の識別情報を読み取り、この識別情報が示す印刷物の原稿データをネットワーク経由でデータベースから取得し、この原稿データに基づいて前記印刷物の複製画像が印刷される。無線タグから読み取る識別情報は、印刷物を特定可能な情報であればよい。無線タグから読み取る情報に、その印刷物の原稿データを記憶しているデータベースのネットワークアドレスを含むようにするとよい。印刷物は、その原稿データがデータベースに記憶されていればよく、書籍として出版されたものに限らず、冊子などでもかまわない。ネットワークは、インターネットなどのＷＡＮ（広域ネットワーク）のほかＬＡＮでもよい。
【０００８】
データベースは、サーバ機能を有し、印刷物の原稿データを記憶する機能、画像形成装置から受信した識別情報に基づいて該当の原稿データを検索する機能、検索された原稿データを該当の画像形成装置にネットワーク経由で送信する機能などを有する。
【０００９】
請求項２に係わる発明は、印刷物に付された無線タグからその印刷物の識別情報を取得するタグ情報読取手段と、
前記タグ情報読取手段が取得した識別情報が示す印刷物における印刷可能ページを示すページ情報をネットワーク経由で所定のデータベースから取得するページ情報取得手段と、
前記ページ情報取得手段によって前記データベースから取得したページ情報を表示し、印刷ページ範囲の指定を受けるページ範囲入力手段と、
前記タグ情報読取手段が取得した前記識別情報が示す印刷物の中の前記ページ範囲入力手段で指定を受けた印刷ページ範囲に対応する原稿データを前記データベースから取得する原稿データ取得手段と、
前記原稿データ取得手段が取得した原稿データに基づく画像を印刷する印刷手段と
を有する
ことを特徴とする画像形成装置である。
【００１０】
上記発明によれば、印刷物に付された無線タグからその印刷物の識別情報を取得し、この識別情報が示す印刷物の中で印刷可能なページを示すページ情報をネットワーク経由でデータベースから取得し、このページ情報を表示部に表示してユーザから印刷ページ範囲の指定操作を受ける。そして、指定された印刷ページ範囲の原稿データをデータベースから取得し、これらのページの複製を印刷する。印刷物の中に複写の禁止されたページが含まれる場合に、複写可能なページが案内表示されるので、ユーザは複写可能なページの中から印刷ページ範囲を指定することが可能になる。ページ情報は、ページ番号に限らず、章番号や見出しなどで表示されてもよい。
【００１１】
データベースは、請求項１のデータベースが有する機能に加えて、各印刷物のページ情報を記憶する機能、画像形成装置から受信した識別情報が示す印刷物のページ情報を検索する機能、検索されたページ情報を該当の画像形成装置にネットワーク経由で送信する機能を有する。
【００１２】
請求項３に係わる発明は、前記タグ情報読取手段が取得した識別情報が示す印刷物の課金情報を前記データベースから取得する課金情報取得手段と、
前記課金情報手段で取得した課金情報に基づいて印刷に要する金額を表示し、印刷するか否かの確認操作を受ける課金確認手段と
を備え、
前記課金確認手段で印刷許可の確認を受けたときのみ、前記データベースから取得した原稿データに基づく印刷を行なう
ことを特徴とする請求項１または２に記載の画像形成装置である。
【００１３】
上記発明によれば、無線タグから読み取った識別情報が示す印刷物を印刷するための課金情報をデータベースから取得し、課金金額をユーザに提示し、ユーザの承認を受けた場合に印刷が実行される。課金情報は、課金方法に応じて定められ、たとえばページ単価×枚数の場合は１ページ当たりの単価、ページ毎に課金金額が異なる場合はページ毎の課金金額になる。課金情報は、印刷範囲の指定態様に対応できればよく、たとえば、章単位に印刷範囲を選択する場合には、各章の課金金額を表わすようにするとよい。章単位の課金金額はページ単価にその章のページ数を乗じて演算で求めて表示してもよい。
【００１４】
データベースは、請求項１のデータベースが有する機能に加えて、各印刷物の課金情報を記憶する機能、画像形成装置から受信した識別情報が示す印刷物の課金情報を検索する機能、検索された課金情報を該当の画像形成装置にネットワーク経由で送信する機能を有する。
【００１５】
請求項４に係わる発明は、前記データベースから取得した原稿データに基づく画像を指定された宛先に送信する
ことを特徴とする請求項１または２に記載の画像形成装置である。
【００１６】
上記発明によれば、データベースから取得した原稿データに基づく画像が、ファクシミリ送信などにより当該画像形成装置以外の他の装置に送信可能になる。
【００１７】
請求項５に係わる発明は、前記データベースから取得した原稿データに基づく画像を出力先に応じたサイズに拡大もしくは縮小するサイズ変更手段を有する
ことを特徴とする請求項１または２に記載の画像形成装置である。
【００１８】
上記発明によれば、出力先装置の記録紙サイズが固定の場合やユーザが記録紙サイズを指定した場合に、出力先に合わせたサイズに画像が拡大縮小される。出力先は、当該画像形成装置のほか送信先の装置も含まれる。
【００１９】
請求項６に係わる発明は、前記データベースから取得した原稿データに応じて記録紙サイズを選択する
ことを特徴とする請求項１または２に記載の画像形成装置である。
【００２０】
上記発明によれば、出力先が複数種類の記録紙サイズに対応している場合、原稿データに最も適したサイズの記録紙が選択される。たとえば、原稿データが記録紙サイズを指定するデータを含む場合には、そのサイズの記録紙が選択される。出力先は、当該画像形成装置のほか送信先の装置も含まれる。
【００２１】
請求項７に係わる発明は、前記データベースから取得した原稿データに基づく画像を、指定された出力形態で出力する
ことを特徴とする請求項１または２に記載の画像形成装置である。
【００２２】
上記発明によれば、ユーザの指定する出力形態で印刷・送信される。出力形態には、綴じ・折り・穿孔などの後処理、小冊子や画像を縮小して複数ページ分を１ページに配列する「Ｎイン１」などが含まれる。
【００２３】
請求項８に係わる発明は、前記タグ情報読取手段が取得した識別情報が示す印刷物に関連する付加情報を前記データベースから取得して表示する付加情報表示手段を有する
ことを請求項１または２に記載の画像形成装置である。
【００２４】
上記発明によれば、識別情報が示す印刷物に関連する付加情報をデータベースから取得して表示する。付加情報は、印刷物の原稿データ以外でこの印刷物に関連する情報である。たとえば、書籍名、著者のプロフィール、同一著者による他の出版物、同一分野や同一テーマの書籍のほか、当該印刷物の目次情報、後付、当該印刷物の概要説明・紹介文などがある。特に、無線タグの付加された印刷物には印刷されていない付加情報を提供するとよい。
【００２５】
データベースは、請求項１のデータベースが有する機能に加えて、各印刷物の付加情報を記憶する機能、画像形成装置から受信した識別情報が示す印刷物の付加情報を検索する機能、検索された付加情報を該当の画像形成装置にネットワーク経由で送信する機能を有する。
【００２６】
請求項９に係わる発明は、前記付加情報は、印刷物の目次情報であり、
出力範囲を前記目次情報から指定可能に構成した
ことを特徴とする請求項８に記載の画像形成装置である。
【００２７】
上記発明によれば、無線タグから読み取った識別情報が示す印刷物の目次情報をデータベースから取得し、その目次から印刷ページ範囲を指定することができる。
【００２８】
請求項１０に係わる発明は、前記付加情報は、関連印刷物情報であり、
原稿データを要求する印刷物を前記関連印刷物情報から指定可能に構成した
ことを特徴とする請求項８に記載の画像形成装置である。
【００２９】
上記発明によれば、無線タグから読み取った識別情報が示す印刷物に関連する印刷物の情報をデータベースから取得し、ユーザはその関連印刷物を指定して原稿データをデータベースから取得することが可能になる。すなわち、印刷物はリレーショナルデータベースとして管理されており、リンクを辿ることで関連する印刷物の原稿データを取得できる。
【００３０】
請求項１１に係わる発明は、前記原稿データ取得手段が取得した原稿データに基づく画像を印刷する際に、別の情報を各記録紙に印刷する
ことを特徴とする請求項１または２に記載の画像形成装置である。
【００３１】
上記発明によれば、原稿データと異なる別の情報が、各ページの余白や文字の背景などとして印刷される。別の情報は、画像形成装置側で用意してもよいし、データベースから受信してもよい。
【００３２】
請求項１２に係わる発明は、前記別の情報は、認証された印刷であることを示す認証マーク、印刷の日付、場所、印刷者、広告のいずれかを含む
ことを特徴とする請求項１１に記載の画像形成装置である。
【００３３】
請求項１３に係わる発明は、原稿台に載置された原稿の画像を読み取る画像読取手段を有し、
前記タグ情報読取手段は、前記原稿台の近傍を無線タグとの通信可能範囲に設定してあり、
前記タグ情報読取手段が無線タグから識別情報を受信している場合は前記データベースから該当する原稿データを取得して印刷し、前記タグ情報取得手段が無線タグから識別情報を受信していない場合は前記原稿台に載置されている原稿の画像を前記画像読取手段で読み取って複写する
ことを特徴とする請求項１または２に記載の画像形成装置である。
【００３４】
上記発明によれば、原稿台に載置された印刷物が無線タグ付きであれば、データベースから原稿データを取得して複写が行なわれ、無線タグ付きでなければその印刷物（原稿）の画像を読み取って複写が行なわれ、自動的に動作が切り替えられる。
【００３５】
請求項１４に係わる発明は、請求項１、２、３、４、５、６、７、８、９、１０、１１、１２または１３のいずれかに記載の画像形成装置と、
要求されたデータを前記画像形成装置に送信するデータベースと
を有する
ことを特徴とする複写システムである。
【発明の効果】
【００３６】
本発明に係わる画像形成装置および複写システムによれば、複写すべき印刷物に付された無線タグからその印刷物の識別情報を読み取り、この識別情報が示す印刷物の原稿データをネットワーク経由でデータベースから取得するので、目的の印刷物の原稿データを簡単な操作でデータベースから取得して印刷物の複製を得ることができる。また、印刷物の画像を読み取る必要がないので、ページを開いて印刷物を原稿台に押し当てる作業が不要になり、印刷物の損傷が防止されるとともに、作業負担・作業時間が軽減される。
【００３７】
該当する印刷物の中で印刷可能なページに係わる情報をデータベースから取得して表示し、この情報を基に印刷ページ範囲をユーザが指定し得るように構成したものでは、印刷を希望するページ範囲の指定操作が容易になる。
【００３８】
無線タグから読み取った識別情報が示す印刷物を印刷するための課金情報をデータベースから取得し、課金金額をユーザに提示し、ユーザの承認を受けた場合に印刷を実行するものでは、ユーザは料金を承認した上で印刷することができ、高額な場合に印刷を中止したり、重要なページのみに印刷範囲を設定し直したりすることも可能になる。
【００３９】
データベースから取得した原稿データに基づく画像を指定された宛先に送信するものでは、原稿データに対応する画像が印刷された記録紙を持ち帰る必要が無くなり、利便性が向上する。
【００４０】
データベースから取得した原稿データに基づく画像を出力先に応じたサイズに拡大もしくは縮小するものでは、画像が欠落したり、大きな余白が生じたりすることなく印刷できる。またユーザが記録紙サイズを指定した場合は、指定された記録紙に合った大きさに画像が拡大・縮小され、ユーザの希望する記録紙サイズに最適な出力を得ることができる。
【００４１】
データベースから取得した原稿データに応じて記録紙サイズを選択するものでは、本来のサイズに最も合った大きさの記録紙で印刷物の複製を得ることができる。
【００４２】
データベースから取得した原稿データに基づく画像を、指定された出力形態で出力するものでは、小冊子などユーザが希望する形態で印刷物の複製を取得することができる。
【００４３】
印刷物に関連する付加情報をデータベースから取得して表示するものでは、付加情報を参考にユーザは印刷の必要性や印刷範囲を決定することが可能になる。
【００４４】
無線タグから読み取った識別情報が示す印刷物の目次情報をデータベースから取得し、その目次から印刷ページ範囲を指定できるものでは、印刷範囲の指定操作をより簡単・的確に行なうことが可能になる。
【００４５】
無線タグから読み取った識別情報が示す印刷物に関連する印刷物の情報をデータベースから取得し、その関連する印刷物の原稿データをデータベースから取得し得るものでは、手元に無い印刷物についてもページを複写することができ、幅広い情報源から必要な情報を得ることができる。
【００４６】
原稿データとは別の情報を各ページに印刷するものでは、認証された印刷であることを示す認証マークを余白や文書の背景に印刷したり、広告を印刷して課金を軽減したり無料化したりするなどが可能になる。
【００４７】
原稿台に載置された印刷物が無線タグ付きの場合はデータベースから原稿データを取得して印刷し、無線タグ付きでない場合はその印刷物（原稿）の画像を読み取って複写するものでは、複写の動作モードが自動的に切り替わるので、ユーザは原稿データをデータベースから取得可能か否かを特別に意識することなく、原稿台に目的の印刷物をセットするだけで、より画質劣化の少ないソースから複写することができる。
【発明を実施するための最良の形態】
【００４８】
以下、図面に基づき本発明の実施の形態を説明する。
【００４９】
図１は、本発明に係わる複写システム１０のシステム構成を示している。複写システム１０は、画像形成装置としての複合機２０と、印刷物に係わる原稿データや付加情報を記憶した文書データベース１１を管理するサーバ１２とを備えている。複合機２０やサーバ１２は、パーソナルコンピュータ１３などのオフィス機器が接続されたＬＡＮ（ローカル・エリア・ネットワーク）１４を介してインターネッット１５に接続されている。複合機２０とサーバ１２とを接続するネットワークは他の種類でもかまわない。
【００５０】
複合機２０は、原稿画像を読み取るスキャナ機能、原稿画像を読み取ってその複製画像を記録紙上に形成するコピー機能、印刷データに対応する画像を記録紙上に形成するプリンタ機能、原稿画像を送受信するファクシミリ機能などを備えている。
【００５１】
また、出版された書籍などの印刷物に付いている無線タグからその印刷物を一意に特定可能なＩＤ情報（識別情報）を読み取り、そのＩＤ情報に対応する書物の原稿データをサーバ１２に要求し、サーバ１２から受信した原稿データに基づく画像を印刷出力する原本複写機能を備えている。この機能は、たとえば、図書館などで書籍を複写する際に使用される。
【００５２】
図２は、複合機２０の構成を示している。複合機２０は、その動作を統括制御する制御部としてのＣＰＵ（中央処理装置）２１と、ＲＯＭ（リード・オンリ・メモリ）２２と、ＲＡＭ（ランダム・アクセス・メモリ）２３とを主要部とした回路で構成されている。ＲＯＭ２２は、ＣＰＵ２１が実行するプログラムや各種固定データを記憶している。ＲＡＭ２３は、ＣＰＵ２１がプログラムを実行する際に各種データを一時的に格納するワークメモリや、回転処理などを施すために画像データを少なくとも１ページ分格納するページメモリとして機能する。
【００５３】
読取部２４は、原稿画像を読み取って対応する画像データを取り込む機能を果たす。読取部２４は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００５４】
記録部２５は、画像データに対応する画像を電子写真プロセスによって記録紙上に形成して出力する機能を果たす。記録部２５は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。ファクシミリ部２６は、読取部２４や記録部２５を制御して複合機２０をファクシミリ装置として動作させる機能を果たす。詳細には、画像データをファクシミリに対応した圧縮方式で圧縮・伸張する機能や、ファクシミリ送受信のための各種通信手順を制御する機能を果たす。
【００５５】
表示部２７は、液晶ディスプレイで構成され、各種の案内情報や状態情報を表示する。操作部２８は、表示部２７の画面に設けたタッチパネルやその他のスイッチで構成されている。画像処理部２９は、画像データを圧縮・伸張する機能や画像を拡大・縮小する機能、画像を回転させる機能、画像を縮小して複数ページ分を１ページに配列する「Ｎイン１」機能などを果たす。ネットワークＩ／Ｆ部３０は、ＬＡＮやインターネットを通じてサーバ１２や他の外部装置と通信する機能を果たす。
【００５６】
無線タグリーダ３１は、書籍などの印刷物４０に付いている無線タグ４１と通信するためのアンテナであり、無線制御部３２は、無線タグリーダ３１を通じて無線タグとデータを送受信したり無線タグに電力供給したりするための通信制御を行なう。無線タグリーダ３１と無線制御部３２とはタグ情報読取手段としての機能を果たす。
【００５７】
無線タグ４１は、無線通信機能を備えた電子荷札であり、外部から電磁的に電力の供給を受けて動作するＩＣチップとアンテナとを内蔵している。無線タグ４１は、ＲＦＩＤ（Radio Frequency IDentification、電波方式非接触識別）方式を使用している。無線タグ４１のＩＣチップは、不揮発性メモリを内蔵し、これに記憶されているデータ（タグ情報）を読み出して無線送信する機能を備えている。書籍などの印刷物４０に付加された無線タグ４１には、タグ情報としてその印刷物４０を特定するためのＩＤ情報（識別情報）が格納されている。なお、このＩＤ情報に対応する印刷物の原稿データを格納しているサーバ１２のネットワークアドレスをタグ情報としてさらに登録してもよい。
【００５８】
ＣＰＵ２１は、無線タグ４１から取得したＩＤ情報が示す印刷物の原稿データをネットワーク経由でサーバ１２の文書データベース１１から取得する原稿データ取得手段、ＩＤ情報が示す印刷物の中で印刷可能なページを示すページ情報をサーバ１２の文書データベース１１から取得するページ情報取得手段、ＩＤ情報が示す印刷物の課金情報をサーバ１２の文書データベース１１から取得する課金情報取得手段、原稿データに基づく画像を印刷する際に各ページの画像データに別の情報を付加する手段としての機能を果たす。別の情報には、認証された印刷であることを示す認証マーク、印刷の日付、場所、印刷者、広告などがある。
【００５９】
さらに、ＣＰＵ２１は、無線タグ４１からＩＤ情報を受信しているか否かにより、サーバ１２の文書データベース１１から原稿データを取得して印刷する原本複写モードと、原稿台に載置された原稿画像を読み取って複写する通常複写モードとにコピー機能の動作モードを切り替える機能を果たす。
【００６０】
また、ページ情報を表示して印刷ページ範囲の指定を受けるページ範囲入力手段、課金情報に基づいて印刷に要する金額を表示しユーザから印刷するか否かの確認操作を受ける課金確認手段、ＩＤ情報が示す印刷物付加情報をサーバ１２の文書データベース１１から取得して表示する付加情報表示手段、ＩＤ情報が示す印刷物に関連する付加情報をサーバ１２の文書データベース１１から取得して表示する付加情報表示手段としての各機能は、ＣＰＵ２１と表示部２７と操作部２８とにより実現される。このほか、複写システム１０は、ユーザが指定する出力形態、すなわち、綴じ・折り・穿孔などの後処理を施して小冊子などの印刷物として仕上げる機能を有している。
【００６１】
図３は、無線タグリーダ３１の取り付け位置を示している。複合機２０は、読取部２４で読み取る書籍などの印刷物４０を載置するための原稿台３３を備えており、無線タグリーダ３１は、原稿台３３に載置された印刷物４０の無線タグ４１と通信可能なように、原稿台３３の近傍に配置されている。この例では、原稿台３３が有するプラテンガラスの内側であって露光走査の邪魔にならない位置に無線タグリーダ３１を配置してある。
【００６２】
文書データベース１１には、ＩＤ情報に対応付けて、そのＩＤ情報を割り当てた印刷物の内容を電子データで表わした原稿データ、前記印刷物の付加情報、課金情報などが登録されている。付加情報は、対応する印刷物に関連する情報であり、たとえば、書籍名、著者のプロフィール、同一著者による他の出版物、同一分野や同一テーマの関連書籍のほか（関連印刷物情報）、当該印刷物の目次情報、後付、当該印刷物の概要説明・紹介文などがある。ここでは、課金情報は、著作権料としての１ページ当たりの単価を示している。
【００６３】
サーバ１２は、文書データベース１１の管理機能と、通信機能とを備えている。すなわち、複合機２０から情報提供要求を受け付け、この要求に応じて文書データベース１１を検索し、該当する情報を要求元の複合機２０に送信する機能を果たす。
【００６４】
図４は、複合機２０が印刷物を複写する際の動作を示している。無線タグ４１の付加されている書籍などの印刷物４０をユーザが複合機２０の原稿台３３に載置すると、無線タグリーダ３１および無線制御部３２はその無線タグ４１を検出し（ステップＳ１０１；Ｙ）、無線タグ４１からＩＤ情報などのタグ情報を読み取る（ステップＳ１０２）。これにより、複合機２０は原本複写モードになり、読み取ったＩＤ情報とこのＩＤ情報に対応する印刷物のページ情報、課金情報、付加情報の送信要求とを含む情報提供要求をサーバ１２に送信する（ステップＳ１０３）。
【００６５】
情報提供要求を受けたサーバ１２は、受信したＩＤ情報に基づいて文書データベース１１を検索し、該当する印刷物のページ情報、付加情報、課金情報を文書データベース１１から読み出し、これを前記情報提供要求の送信元の複合機２０に送信する。
【００６６】
上記の情報をサーバ１２から受信した複合機２０は、それらの情報を表示部２７に表示し、ユーザから印刷ページ範囲の指定操作を受ける（ステップＳ１０４）。複合機２０は、指定された印刷ページ範囲を示す情報とＩＤ情報とを含む原稿データ提供要求をサーバ１２に送信する（ステップＳ１０５）。なお、複合機２０はユーザの指定したページを印刷した場合の課金金額を表示部２７に表示し、ユーザが印刷許可の確認操作を行なった場合のみ、サーバ１２に原稿データ提供要求を送信し、印刷許可の確認操作が行なわれなかった場合（拒否操作が行なわれた場合）は、複写を中止したり、印刷ページ範囲の変更操作を受け付けたりするようになっている。
【００６７】
原稿データ提供要求を受信したサーバ１２は、該当する印刷物の該当ページの原稿データを文書データベース１１から読み出し、これを前記原稿データ提供要求の送信元の複合機２０に送信する。
【００６８】
原稿データをサーバ１２から受信した複合機２０は、この原稿データをイメージ展開して画像データを生成し、記録紙に印刷したり、ユーザの指定した宛先に送信したりする（ステップＳ１０６）。ここでは、送信指定の場合は画像をファクシミリ送信するようになっている。
【００６９】
出力する記録紙サイズは、原稿データに最も適したものが選択される。ただし、ユーザが記録紙サイズを指定している場合は、そのサイズの記録紙が使用される。またユーザが、印刷条件として、画像の自動サイズ調整を選択しているときは、選択された記録紙サイズにフィットするように画像を拡大・縮小するようになっている。
【００７０】
また、ユーザが綴じ・折り・穴あけなどの後処理を指定しているときは、その指定に合わせて後処理を実行する。ユーザが「Ｎイン１」機能を選択しているときは、画像を縮小して、Ｎページ分の画像を１枚の記録紙に配列して印刷するようになっている。
【００７１】
原稿データに基づいて印刷あるいは送信した後、課金処理を実行する（ステップＳ１０７）。課金処理は、現金での支払いのほか、クレジットや指定の口座からの引き落としなどにより行なわれる。なお、現金支払いの場合は、印刷や送信の実行前に料金を徴収するように構成するとよい。課金処理終了後、複合機２０は待機状態に戻る（ステップＳ１０１へ）。
【００７２】
無線タグ４１を検知しない状態でコピースタート釦が操作された場合は（ステップＳ１０１；Ｎ、ステップＳ１０８；Ｙ）、通常複写モードになり、読取部２４で原稿画像を読み取り、この画像の複製を記録紙に印刷して出力するコピー動作を実行する（ステップＳ１０９）。コピー動作の完了後、待機状態に戻る（ステップＳ１０１へ）。
【００７３】
図５は、複合機２０の表示部２７に表示される印刷範囲指定画面２００の一例を示している。印刷範囲指定画面２００の上部にはページ情報欄２０１が、その下方には印刷ページ範囲入力欄２０２が設けてある。ページ情報欄２０１には、書籍名と著作者名と、コピーするページ範囲を印刷ページ範囲入力欄２０２にて指定すべき旨の案内メッセージとが表示されている。
【００７４】
印刷ページ範囲入力欄２０２には、当該書籍における印刷可能ページ範囲、課金情報（１ページ当たりの単価）、警告メッセージなどが表示されている。さらに印刷ページ範囲入力欄２０２の下部には、印刷開始ページのページ番号と印刷終了ページのページ番号を入力する入力欄２０３、２０４が表示されている。ユーザは、入力欄２０３または入力欄２０４にタッチして入力箇所を選択した後、図示省略のテンキーから希望のページ番号を入力することができる。
【００７５】
印刷範囲指定画面２００の下部にある「印刷範囲選択」釦２０５を操作すると、図６に示す印刷範囲選択画面２１０が表示される。印刷範囲指定画面２００では、ページ番号を指定して印刷ページ範囲を指定したが、印刷範囲選択画面２１０では、該当する印刷物の目次情報から印刷ページ範囲を指定可能になっている。
【００７６】
印刷範囲選択画面２１０の上部は、印刷範囲指定画面２００と同様のページ情報欄２０１が表示される。その下部には印刷範囲入力欄２１１が表示されている。印刷範囲入力欄２１１には、１ページ当たりの単価を示す課金情報と、当該印刷物の目次情報と、目次の章毎にチェックボタン２１２とが表示されている。チェックボタン２１２にタッチするとその章が印刷範囲に選択される。チェックボタン２１２に再度タッチするとその章の選択が解除される。印刷範囲選択画面２１０の下部にある「印刷ページ選択」釦２１３を操作すると、図５に示す印刷範囲指定画面２００が表示される。
【００７７】
印刷範囲指定画面２００の「詳細情報」釦２０６または印刷範囲選択画面２１０の「詳細情報」釦２１４を操作すると、図７に示す詳細情報画面２２０が表示される。詳細情報画面２２０には、選択した書籍の詳細情報が表示される。詳細情報画面２２０に表示される情報はサーバ１２から付加情報として取得したものである。図７の例では、書籍名/書類名、著作者/原作者、出版社、出版日/作成日、印刷可能ページ、書籍の概略内容などが表示されている。詳細情報画面２２０の下部にある「情報印刷」釦２２１を操作すると、詳細情報画面２２０に表示されている詳細情報が印刷される。
【００７８】
詳細情報画面２２０の下部にある「関連情報」釦２２２を操作すると、図８に示す関連情報画面２３０が表示される。関連情報画面２３０の上部にはこの画面の案内メッセージ２３１が表示されている。その下方には関連情報２３２が表示されている。ここでは、関連情報として、同一著作者の出版物情報あるいは、同一コンテンツの出版物情報などの関連図書が表示される。関連図書毎に表示されているチェックボタン２３３にタッチするとその書籍が選択される。
【００７９】
関連図書を選択した状態で、図８に示す関連情報画面２３０の下部にある「詳細情報」釦２３４を操作すると、選択された関連図書についての詳細情報が図７の詳細情報画面２２０と同様の形式で表示される。なお、移動先の詳細情報画面で「ＯＫ」釦を操作すると、その書籍が印刷対象に設定され、この関連図書について図５に示す印刷範囲指定画面２００が表示され、印刷ページ範囲を指定して印刷することができるようになっている。図８に示す関連情報画面２３０の下部にある「一覧印刷」釦２３５を操作すると、関連図書の一覧が印刷される。
【００８０】
印刷範囲指定画面２００または印刷範囲選択画面２１０において印刷ページ範囲を設定して「ＯＫ」釦２０７、２１５を操作すると、図９に示す課金情報確認画面２４０が表示される。課金情報確認画面２４０には、書籍名/書類名、著作者/原作者、選択したページ範囲、トータル料金が表示される。表示された内容が不都合で変更したい場合には「戻る」釦２４１を操作することで、課金情報確認画面２４０に移行する前の画面に戻り、印刷範囲などを再設定することができる。
【００８１】
課金情報確認画面２４０に表示されている内容を承認し、その内容で印刷する場合は「印刷」釦２４２を操作すると、サーバ１２の文書データベース１１から該当する原稿データを取得して記録紙への印刷が行なわれる。「送信」釦２４３を操作すると、図示省略の送信先指定画面が表示され、この画面でユーザが宛先を指定すると、複合機２０はサーバ１２の文書データベース１１から該当する原稿データを取得し、対応する画像を指定された宛先にファクシミリ送信する。たとえば、図書館の複合機２０からサーバ１２の文書データベース１１にアクセスして取得した文書をユーザの自宅のファクシミリ装置へ送信するような利用形態がある。
【００８２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８３】
画像形成装置として複合機２０を例に説明したが、印刷機能があれば、複写機やプリンタなどでもかまわない。また、無線タグ４１を原稿台３３に設置し、原稿台３３に載置された印刷物の無線タグ４１からタグ情報を読み取るように構成したが、無線タグ４１を、装置の前面部など他の箇所に設けてもよい。この場合、画像形成装置は読取部２４を具備しない構成でもかまわない。
【００８４】
サーバ１２はネットワーク上に１つでも複数存在してもよい。印刷物によってアクセスすべきサーバ１２が相違する場合は、アクセスすべきサーバのネットワークアドレスをタグ情報として無線タグ４１に予め記憶しておくとよい。また、ＩＤ情報に対応する原稿データを記憶しているサーバのネットワークアドレスを照会するためのサーバを設けてもよい。
【図面の簡単な説明】
【００８５】
【図１】本発明の実施の形態に係わる複写システムの構成を示す説明図である。
【図２】本発明の実施の形態に係わる複合機の構成を示すブロック図である。
【図３】複合機における無線タグリーダの取り付け位置を示す説明図である。
【図４】本発明の実施の形態に係わる複合機が印刷物を複写する際の動作を示す流れ図である。
【図５】本発明の実施の形態に係わる画像形成装置の表示部に表示される印刷範囲指定画面の一例を示す説明図である。
【図６】本発明の実施の形態に係わる画像形成装置の表示部に表示される印刷範囲選択画面の一例を示す説明図である。
【図７】本発明の実施の形態に係わる画像形成装置の表示部に表示される詳細情報画面の一例を示す説明図である。
【図８】本発明の実施の形態に係わる画像形成装置の表示部に表示される関連情報画面の一例を示す説明図である。
【図９】本発明の実施の形態に係わる画像形成装置の表示部に表示される課金情報確認画面の一例を示す説明図である。
【符号の説明】
【００８６】
１１…文書データベース
１２…サーバ
１３…パーソナルコンピュータ
１４…ＬＡＮ
１５…インターネット
２０…複合機
２１…ＣＰＵ
２２…ＲＯＭ
２３…ＲＡＭ
２４…読取部
２５…記録部
２６…ファクシミリ部
２７…表示部
２８…操作部
２９…画像処理部
３０…ネットワークＩ／Ｆ部
３１…無線タグリーダ
３２…無線制御部
３３…原稿台
４０…書籍などの印刷物
４１…無線タグ
２００…印刷範囲指定画面
２０１…ページ情報欄
２０２…印刷ページ範囲入力欄
２０３、２０４…入力欄
２０５…「印刷範囲選択」釦
２０６…「詳細情報」釦
２０７、２１５…「ＯＫ」釦
２１０…印刷範囲選択画面
２１１…印刷範囲入力欄
２１２…チェックボタン
２１３…「印刷ページ選択」釦
２１４…「詳細情報」釦
２２０…詳細情報画面
２２１…「情報印刷」釦
２２２…「関連情報」釦
２３０…関連情報画面
２３１…案内メッセージ
２３２…関連情報
２３３…チェックボタン
２３４…「詳細情報」釦
２３５…「一覧印刷」釦
２４０…課金情報確認画面
２４１…「戻る」釦
２４２…「印刷」釦
２４３…「送信」釦
【図１】
2006054777.tif 000003
【図２】
2006054777.tif 000004
【図３】
2006054777.tif 000005
【図４】
2006054777.tif 000006
【図５】
2006054777.tif 000007
【図６】
2006054777.tif 000008
【図７】
2006054777.tif 000009
【図８】
2006054777.tif 000010
【図９】
2006054777.tif 000011